(57)【要約】      （修正有）【課題】機能性とデザイン性とを両立する手提げバッグを提供する。【解決手段】少なくとも胴部と底部１０４とを有し、上端の開口部１０６を介して収納物を出し入れ可能に構成された手提げバッグであって、手提げバッグは、胴部の第１の面側に設けられた第１の着脱手段１１２ａ、１１２ｂ、１１４ａ、１１４ｂを介して着脱可能に構成された第１の手提げハンドル１０８と、胴部の第２の面側に固定された第２の手提げハンドル１１０と、底部の第２の面側に設けられた第２の着脱手段１２０ａ、１２０ｂ、１２２ａ、１２２ｂと、を有する。【選択図】図１
0003224386.tif 000002
【実用新案登録請求の範囲】
【請求項１】
少なくとも胴部と底部とを有し、上端の開口部を介して収納物を出し入れ可能に構成された手提げバッグであって、
前記手提げバッグは、
前記胴部の第１の面側に設けられた第１の着脱手段を介して着脱可能に構成された第１の手提げハンドルと、
前記胴部の第２の面側に固定された第２の手提げハンドルと、
前記底部の第２の面側に設けられた第２の着脱手段と、
を有する手提げバッグ。
【請求項２】
前記第１の着脱手段は、
前記開口部の外周縁に設けられた第１のバンド部と、
前記バンド部に係合する第１のリング部材と、を有し、
前記第１の手提げハンドルは、
手提げバンド部と、
前記手提げバンド部の端部に形成された前記リング部材に係合するフック部材と、
を有する、
請求項１に記載の手提げバッグ。
【請求項３】
前記第２の着脱手段は、
前記底部に固定された第２のバンド部と、
前記第２のバンド部に係合する第２のリング部材と、
を有する、
請求項１又は２に記載の手提げバッグ。
【請求項４】
前記胴部の第１の面側の内表面には、内ポケットが設けられている、
請求項１乃至３のいずれか一項に記載の手提げバッグ。
【請求項５】
前記開口部の中央付近には、前記手提げバッグを折り畳んで収納するための第３のバンド部が設けられている、
請求項１乃至４のいずれか一項に記載の手提げバッグ。
【考案の詳細な説明】
【技術分野】
【０００１】
本考案は、通常の用途にも使用でき、かつ、ピザ、お寿司、お弁当等を水平に保って持ち運ぶことができる手提げバッグに関するものである。
【背景技術】
【０００２】
従来より、コンビニやスーパー等で商品を購入した場合、販売者側からレジ袋が提供されてきた。しかしながら、レジ袋は、買い物をする個人にとっては数枚であっても全体では莫大な数であり、資源の無駄遣いとなる上、焼却時には有害ガスも発生する。
【０００３】
近年では、レジ袋の有料化等に伴い、エコバッグ等の携帯も普及してきたが、エコバッグは通常のバッグと比較してデザイン性に劣ること等から未だ普及率が高いとは言えない。
【０００４】
また、エコバッグは、通常の手提げカバンと同様に縦持ちでの使用を想定して作られていることが多い。そのため、ピザ、お寿司、お弁当等のように、横に大きく、かつ、水平に保って持ち運びたい商品を運搬する場合、エコバッグの中で、商品が縦や斜めになり、中身が崩れてしまうことがあった。
【考案の概要】
【考案が解決しようとする課題】
【０００５】
そこで、本考案は、機能性とデザイン性とを両立する手提げバッグを提供することを目的としている。
【課題を解決するための手段】
【０００６】
前記目的を達成するために、本考案の手提げバッグは、
少なくとも胴部と底部とを有し、上端の開口部を介して収納物を出し入れ可能に構成された手提げバッグであって、
前記手提げバッグは、
前記胴部の第１の面側に設けられた第１の着脱手段を介して着脱可能に構成された第１の手提げハンドルと
前記胴部の第２の面側に固定された第２の手提げハンドルと、
前記底部の第２の面側に設けられた第２の着脱手段と、
を有することを特徴としている。
【考案の効果】
【０００７】
本実施形態に係る手提げバッグは、機能性とデザイン性とを両立することができる。
【図面の簡単な説明】
【０００８】
【図１】本考案の一実施形態に係る手提げバッグを第１の面側からみた概略構成図である。
【図２】本考案の一実施形態に係る手提げバッグを第２の面側からみた概略構成図である。
【図３】本考案の一実施形態に係る手提げバッグの内側を説明するための概略構成図である。
【図４】本考案の一実施形態に係る手提げバッグの使用方法例を説明するための概略構成図である。
【考案を実施するための形態】
【０００９】
以下、本考案に係る一実施形態について図面を参照して説明する。ただし、以下の実施形態に記載されている構成要素は例示であり、本考案の技術範囲をそれらのみに限定する趣旨のものではない。
【００１０】
（実施例１の手提げバッグの構成例）
図１に、本考案の一実施形態に係る手提げバッグを第１の面側からみた概略構成図を示す。また、図２に、本考案の一実施形態に係る手提げバッグを第２の面側からみた概略構成図を示す。
【００１１】
本考案に係る実施例１の手提げバッグ１００は、胴部１０２と底部１０４を有するバッグであり、上方に、購入した商品等を出し入れするための開口部１０６を有する。
【００１２】
開口部１０６は、例えば、ファスナー、マジックテープ、ボタン又はホック等の公知の開閉自在な係止器具を有していても良い。係止器具を有することにより、食品等を収納した後、係止器具により係止することで、食品が手提げバッグ１００から出てくることがなく、安心して運搬することができる。
【００１３】
開口部１０６の外周縁には、手提げ用の一対の逆Ｕ字状の手提げハンドルとして、胴部１０２の第１の面１０２ａ側に第１の手提げハンドル１０８と、胴部１０２の第２の面１０２ｂ側に第２の手提げハンドル１１０と、が設けられている。
【００１４】
第１の手提げハンドル１０８は、開口部１０６の外周縁に対して第１の着脱手段により着脱可能に設けられている。第１の着脱手段は、図１及び図２に示す例では、例えば、開口部１０６の外周縁に設けられた第１のバンド部１１２ａ、１１２ｂと、該バンド部１１２ａ、１１２ｂに各々係合する第１のリング部材１１４ａ、１１４ｂと、を有して構成されている。そして、第１の手提げハンドル１０８は、端部にこのリング部材１１４ａ、１１４ｂに各々係合するフック部材１１６ａ、１１６ｂが形成された手提げバンド部１１８を有して構成されている。
【００１５】
第１のバンド部１１２ａ、１１２ｂは、開口部１０６の外周縁に対して横幅方向の端部側に設けることが、後述する方法でピザ、お寿司、お弁当等を運搬する場合に、収納物をより水平に保つことができるため好ましい。
【００１６】
一方、第２の手提げハンドル１１０は、その端部１１０ａ、１１０ｂが、開口部１０６の外周縁に対して固定されている。固定方法としては、特に限定されないが、例えば、第２の手提げハンドル１１０を、開口部１０６の外周縁に対して縫着固定する方法などが挙げられる。
【００１７】
本考案に係る手提げバッグ１００の底部１０４の外周縁の第２の面１０２ｂ側には、第２の着脱手段が設けられている。第２の着脱手段は、図１及び図２に示す例では、第２の手提げハンドル１１０の端部１１０ａ、１１０ｂの位置に対応して、底部１０４に固定された第２のバンド部１２０ａ、１２０ｂと、この第２のバンド部１２０ａ、１２０ｂに各々係合する第２のリング部材１２２ａ、１２２とを有して構成されている。
【００１８】
図３に、本考案の一実施形態に係る手提げバッグの内側を説明するための概略構成図を示す。本考案に係る手提げバッグ１００の第１の面１０２ａの内表面側の中央付近には、例えば内ポケット１２４が形成されていても良い。内ポケット１２４は、上方が開口しており、ペットボトルや飲料パック等を収納可能な大きさとなっている。上方開口の構成のため、収納物の取り出しも容易に行えるようになっている。また、後述する方法により本考案に係る手提げバッグ１００内にピザ、お寿司、お弁当等を収納した場合であっても、内ポケット１２４内に飲料を固定して収納できるため、飲料が転がることによって収納物が縦や斜めになることを防ぐことができる。
【００１９】
また、本考案に係る手提げバッグ１００の開口部１０６の周縁部の例えば中央には、第３のバンド部１２６が設けられることが好ましい。第３のバンド部１２６は、例えばゴム等の弾性部材が形成されることが好ましい。これにより、手提げバッグ１００を使用しない場合に、手提げバッグ１００を折り畳んで第３のバンド部内に収納することができる。
【００２０】
本考案に係る手提げバッグ１００の大きさは、特に限定されないが、後述する方法によりピザ、お寿司、お弁当等を収納することを想定しているため、例えば横３５ｃｍ乃至４５ｃｍ程度、高さ４５ｃｍ乃至５５ｃｍ程度、底マチ幅１０ｃｍ乃至２０ｃｍ程度とし、日常の手提げで使用する様態や、後述する運搬方法で使用する様態の両方が可能となっている。
【００２１】
手提げバッグ１００の素材は、特に限定されないが、例えば、ポリエステル、ナイロン等の合成樹脂素材や、帆布等を使用することができる。合成樹脂を使用する場合、比較的薄くて軽く、持ち運びがしやすい手提げバッグ１００となり得るため、学生やサラリーマンの常備バッグとして最適であると考えられる。一方、帆布を使用する場合、比較的しっかりとして耐久性の高い手提げバッグ１００となり得るため、主婦の日時の買い物用バッグとして最適であると考えられる。また、手提げバッグ１００の胴部１０２の内面側は、保冷用の断熱材を組み込んだ断熱生地で構成しても良い。なお、例えば胴部１０２の表面等には、模様、色彩を施すことができ、ファッション性に優れたバッグを提供することができる。
【００２２】
一方、第１のリング部材１１４、フック部材１１６、第２のリング部材１２２の素材としては、特に限定されないが、手提げバッグ１００の材料と同様の材料を使用しても良いし、例えばプラスチックなどの材料を使用してもよい。
【００２３】
なお、図１及び図２に示す例では、本考案に係る手提げバッグ１００の底部１０４に底マチ部１２８を設ける構成で説明したが、底部１０４にマチ部を設けず、側面に側マチ部（図示しない）を設ける構成であっても良い。
【００２４】
（実施例１の運搬様態例）
次に、本考案に係る手提げバッグ１００に、ピザ、お寿司、お弁当等を収納する場合の収納方法について、図４を参照して説明する。図４に、本考案の一実施形態に係る手提げバッグの使用方法例を説明するための概略構成図を示す。
【００２５】
ピザ、お寿司、お弁当等の横に大きい商品を収納する場合、先ず、フック部材１１６ａ、１１６ｂを、第１のリング状部材１１４から取り外す。そして、フック部材１１６ａ、１１６ｂを、第２のリング部材１２２ａ、１２２ｂに取り付ける。なお、フック部材１１６ｂを第２のリング部材１２２ａに取り付け、フック部材１１６ａを第２のリング部材１２２ｂに取り付けても良い。
【００２６】
この状態で開口部１０６を介して収納物を手提げバッグ１００内に収納する。収納する場合は、収納物を水平置した場合の上面側が第１の面１０２ａ側となるように（即ち、第２の面１０２ｂが収納物の底部に対応するように）、収納物を収納する。
【００２７】
そして、使用者は第１の手提げハンドル１０８と第２の手提げハンドル１１０とを把持して収納物を運搬する。なお、想定する収納物の大きさ等に応じて手提げバッグ１００の大きさを大きくする場合、より安全に収納物を水平に運べるよう、専用の中敷きを別途用意しておいても良い。その場合、通常の用途で手提げバッグ１００を使用する場合、中敷きをコンパクトに手提げバッグ１００内に収納できるよう、中敷きは、１乃至複数回折り畳める構成にしておくことが好ましい。
【００２８】
本考案によると、収納物の底部に第２の面１０２ｂが対応しており、手提げバッグ１００の第２の面１０２ｂ側に配置された第２の手提げハンドル１１０と、第２の面１０２ｂ側に配置された１２０に取り付けられた第１の手提げハンドル１０８とを使用者が把持して運搬することができる。同一の面（第２の面１０２ｂ）に位置する第１の手提げハンドル１０８と第２の手提げハンドル１１０とを使用者が把持することができるため、ピザ、お寿司、お弁当等を運搬する場合であっても、収納物を水平に保って持ち運ぶことができる。
【００２９】
また、第１の手提げハンドル１０８を第１のリング部材１１４、第２のリング部材１２２に着脱可能に構成されているため、通常の荷物を運搬する場合にも使用することができる。
【符号の説明】
【００３０】
１００      手提げバッグ
１０２      胴部
１０４      底部
１０６      開口部
１０８      第１の手提げハンドル
１１０      第２の手提げハンドル
１１２      第１のバンド部
１１４      第１のリング部材
１１６      フック部材
１１８      手提げバンド部
１２０      第２のバンド部
１２２      第２のリング部材
１２４      内ポケット
１２６      第３のバンド部
１２８      底マチ部
【図１】
0003224386.tif 000003
【図２】
0003224386.tif 000004
【図３】
0003224386.tif 000005
【図４】
0003224386.tif 000006